(57)【要約】【課題】ユーザに最適化されたタスクメニューを提案し得る健康管理装置を提供すること。【解決手段】本発明による健康管理装置は、端末を有する健康管理対象者の健康管理対象者情報、タスク情報およびインセンティブ情報を記憶する記憶部と、端末から送信された健康管理対象者の生体情報を受信する受信部と、受信した生体情報に基いて健康管理対象者に対して推奨すべきタスク情報を特定するタスク特定部と、タスク情報に関連付けられたインセンティブ情報を、健康管理対象者情報に基づいて補正する補正部と、タスク情報を前記端末に対して送信する送信部と、補正されたインセンティブ情報に基いて、健康管理対象者に所定のインセンティブを付与するための処理を行う付与部を備えている。【選択図】図６
2018028737.tif 000002
【特許請求の範囲】
【請求項１】
端末とネットワークを介して接続された健康管理装置であって、
前記端末を有する健康管理対象者の健康管理対象者情報、タスク情報およびインセンティブ情報を記憶する記憶部と、
前記端末から送信された前記健康管理対象者の生体情報を受信する受信部と、
前記受信した生体情報に基いて前記健康管理対象者に対して推奨すべきタスク情報を特定するタスク特定部と、
前記タスク情報に関連付けられた前記インセンティブ情報を、前記健康管理対象者情報に基づいて補正する補正部と、
前記タスク情報を前記端末に対して送信する送信部と、
補正された前記インセンティブ情報に基いて、前記健康管理対象者に所定のインセンティブを付与するための処理を行う付与部とを備える
健康管理装置。
【請求項２】
請求項１に記載の健康管理装置であって、
前記記憶部は、前記健康管理対象者の前記タスクの実行履歴情報を更に記憶しており、
前記補正部は、同一の前記タスク情報に関する前記実行履歴情報に基いて、前記タスク情報に関連付けられた前記インセンティブ情報を補正する
健康管理装置。
【請求項３】
請求項２に記載の健康管理装置であって、
前記受信部は、予めグルーピングされた複数の端末から送信された生体情報を受信するものであって、
前記記憶部は、他の健康管理対象者の前記タスクの実行履歴情報を更に記憶しており、
前記補正部は、同一の前記タスク情報に関する前記健康管理対象者の前記実行履歴情報と、前記他の健康管理対象者の実行履歴情報とに基いて、前記タスク情報に関連付けられた前記インセンティブ情報を補正する
健康管理装置。
【請求項４】
請求項２又は請求項３に記載の健康管理装置であって、
前記補正部は、特定期間内における前記実行履歴情報に基いて、前記インセンティブ情報を当該特定期間の長さに応じて補正する
健康管理装置。
【請求項５】
請求項１乃至請求項４のいずれかに記載の健康管理装置であって、
前記タスク情報には、実行にあたってのタスク強度が関連付けられており、
前記補正部は、前記タスク強度に基いて前記インセンティブ情報を補正する、
健康管理装置。
【請求項６】
請求項１乃至請求項５のいずれかに記載の健康管理装置であって、
前記タスク特定部は、前記健康管理対象者情報と受信した前記生体情報とから算出した推奨度に基いて前記推奨すべきタスク情報を特定し、
前記補正部は、前記推奨度に基いて前記インセンティブ情報を補正する、
健康管理装置。
【発明の詳細な説明】
【技術分野】
【０００１】
本発明は、健康管理装置に関する。
【背景技術】
【０００２】
ダイエットやメタボリックシンドロームの予防等の健康意識の高まりを受けて、健康指導サービスが普及している。このようなサービスの一つとして、ユーザの生体情報をリアルタイムに取得し、端末等において管理・評価する技術が提案されている（特許文献１及び特許文献２）。
【先行技術文献】
【特許文献】
【０００３】
【特許文献１】特開２００８−０７１２６３号公報
【特許文献２】特開２０１５−１１２２０９号公報
【発明の概要】
【発明が解決しようとする課題】
【０００４】
しかしながら、上述した文献には、取得した情報に基づいてどのような行動を興せばいいのか、どのような優先順位に基づいてタスクを実行すればよいのかについてのアドバイスはなされていない。
【０００５】
そこで、本発明は、ユーザに最適化されたタスクメニューを提案し得る健康管理装置を提供することを目的とする。
【課題を解決するための手段】
【０００６】
本発明によれば、第１の健康管理情報処理装置であって、
端末とネットワークを介して接続された健康管理装置であって、
前記端末を有する健康管理対象者の健康管理対象者情報、タスク情報およびインセンティブ情報を記憶する記憶部と、
前記端末から送信された前記健康管理対象者の生体情報を受信する受信部と、
前記受信した生体情報に基いて前記健康管理対象者に対して推奨すべきタスク情報を特定するタスク特定部と、
前記タスク情報に関連付けられた前記インセンティブ情報を、前記健康管理対象者情報に基づいて補正する補正部と、
前記タスク情報を前記端末に対して送信する送信部と、
補正された前記インセンティブ情報に基いて、前記健康管理対象者に所定のインセンティブを付与するための処理を行う付与部とを備える
健康管理装置が得られる。
【０００７】
また、本発明によれば、第２の健康管理情報処理装置であって、第１に記載の健康管理装置であって、
前記記憶部は、前記健康管理対象者の前記タスクの実行履歴情報を更に記憶しており、
前記補正部は、同一の前記タスク情報に関する前記実行履歴情報に基いて、前記タスク情報に関連付けられた前記インセンティブ情報を補正する
健康管理装置が得られる。
【０００８】
また、本発明によれば、第３の健康管理情報処理装置であって、第２に記載の健康管理装置であって、
前記受信部は、予めグルーピングされた複数の端末から送信された生体情報を受信するものであって、
前記記憶部は、他の健康管理対象者の前記タスクの実行履歴情報を更に記憶しており、
前記補正部は、同一の前記タスク情報に関する前記健康管理対象者の前記実行履歴情報と、前記他の健康管理対象者の実行履歴情報とに基いて、前記タスク情報に関連付けられた前記インセンティブ情報を補正する
健康管理装置が得られる。
【０００９】
また、本発明によれば、第４の健康管理情報処理装置であって、第２又は第３に記載の健康管理装置であって、
前記補正部は、特定期間内における前記実行履歴情報に基いて、前記インセンティブ情報を当該特定期間の長さに応じて補正する
健康管理装置が得られる。
【００１０】
また、本発明によれば、第５の健康管理情報処理装置であって、第１乃至第４のいずれかに記載の健康管理装置であって、
前記タスク情報には、実行にあたってのタスク強度が関連付けられており、
前記補正部は、前記タスク強度に基いて前記インセンティブ情報を補正する、
健康管理装置が得られる。
【００１１】
また、本発明によれば、第６の健康管理情報処理装置であって、第１乃至第５のいずれかに記載の健康管理装置であって、
前記タスク特定部は、前記健康管理対象者情報と受信した前記生体情報とから算出した推奨度に基いて前記推奨すべきタスク情報を特定し、
前記補正部は、前記推奨度に基いて前記インセンティブ情報を補正する、
健康管理装置が得られる。
【発明の効果】
【００１２】
本発明によれば、ユーザに最適化されたタスクメニューを提案し得る健康管理装置を提供することができる。
【図面の簡単な説明】
【００１３】
【図１】本発明の実施の形態による健康管理システムの構成を示す図である。
【図２】図１の健康管理システムに含まれる健康管理情報処理装置の機能構成を示すブロック図である。
【図３】図１の健康管理システムに含まれるユーザ端末の機能構成を示すブロック図である。
【図４】図１のユーザ端末に表示される画面例である。
【図５】図４のタスク選択肢の補正前後を表す図である。
【図６】図１の健康管理システムに用いられるデータテーブルの他の概念図である。
【図７】図１の健康管理システムに用いられるデータテーブルの更に他の概念図である。
【図８】図１のユーザ端末に表示される他の画面例である。
【発明を実施するための形態】
【００１４】
＜概要＞
健康管理システム１は、ネットワーク３０を介して相互に通信可能に接続された、サーバ１０と、ユーザ端末２０とで構成される所謂クライアント／サーバモデルのシステムである。なお、ネットワーク３０は、携帯電話機やスマートフォン等に対するキャリアネットワークと、ＩＰベースのコンピュータネットワークとを含む。また、コンピュータネットワークは、図示されていない無線基地局（例えばＷｉＦｉ）によって構築される無線ネットワークを含んでも良い。
【００１５】
図２に示されるように、サーバ１０は、処理部１１、メインメモリ１２、外部メモリ１３、インターフェース１４、通信部１５及びディスクドライブ１６等を備え、これらはバスを介して電気的に相互に接続される。処理部１１は、外部メモリ１３に格納されたプログラム・モジュール、及びディスクドライブ１６に格納された各種データ等をメインメモリ１２にロードして、順次プログラムを実行することにより健康管理システムによる処理を制御する。特に、処理部１１は、通信部１５を介して取得した管理対象者の生体活動情報及び検査情報と健康情報とに基づいて管理対象者の健康状態を予測する機能や、ユーザ端末１０に送信・表示するための情報を生成して通信部１５を介してユーザ端末１０に戻すように構成される。インターフェース１４は、サーバ１０の管理者によってアクセスされ、各種サーバ機能設定やネットワーク設定を実施する。
【００１６】
なお、サーバ１０に関する情報処理装置としての様々な機能の全部又は一部は、ユーザ端末１０が担うように構成してもよい。この場合には、ユーザ端末１０単体で情報処理装置を構成するか、またはユーザ端末１０及びサーバ１０全体で情報処理装置が構成される。
【００１７】
＜ユーザ端末＞
図３に示されるように、ユーザ端末２０は、ウェアラブル端末（図示せず）と連携してユーザの生体活動情報を取得してサーバ１０に送信したり、サーバ１０で生成される情報をブラウザ等のアプリケーションにより表示したりすることができる装置であればよく、例えば、スマートフォン、タブレット端末、パーソナルコンピュータ、ゲーム用コンソールその他の電子機器等であればよい。
【００１８】
図示されるように、ユーザ端末２０は、端末表示部２１、端末入力部２２、端末処理部２３、端末通信部２４および端末記憶部２５等を備え、これらはバスを介して電気的に相互に接続される。
【００１９】
端末表示部２１は、サーバ１０から端末通信部２４で受信した情報を端末記憶  部２５に一時的に格納し、ブラウザ等を通じて表示する（表示の仕方はこれに限られない。端末表示部２１は、例えば液晶ディスプレイ（ＬＣＤ）等によって実現することができるが、本実施の形態においては、特にタッチ・ディスプレイとして構成するのがよい。端末入力部２２は、ユーザ作用（メニュー等の「選択」、「移動」、「削除」等）を受け付ける。入力手段としては、キーボードや仮想キーボードによる文字入力、マウスによるオブジェクトのクリック、画面内のオブジェクトの位置に対応するタッチ・ディスプレイ上での指によるタッチ入力やスタイラスによる入力、およびその組み合わせとすることができるが、これらに限定されない。
【００２０】
端末入力部２２で受けた入力命令に基づいて、端末処理部２３がユーザ命令を作成し  端末通信部２４およびネットワーク３０を通じてサーバ１０と通信を行う。そして、サーバ１０内において関連のプログラム（後述）が実行される。端末記憶部２５は、ユーザ端末２０に関連付けられる各種データ、および画像データの表示に必要なブラウザ等のアプリケーションを格納すると共に、サーバ１０から受信する画像データ等の各種データも一時的に格納する。
【００２１】
図４に示されるように、本実施の形態においては、各ユーザを特定するためのユーザＩＤに様々な情報が紐づけられている。即ち、ユーザＩＤには、属性情報、生体情報、実行履歴情報、及びグループＩＤが関連付けられており、実行履歴情報は、少なくとも実行タスクＩＤと実行日時を含む。
【００２２】
属性情報としては、例えば健康管理対象者の遺伝子情報、血液情報、検診情報（身長および体重）および生活習慣アンケート情報等の健康管理対象者の主観と客観の両面からの健康管理対象者に関する情報から構成され、健康管理対象者の生体に関する情報のうち、基礎となる情報および不変的な情報を含めることができる。
【００２３】
また、生体情報とは、食事情報（食事時間および食事内容）、位置情報および移動情報並びにログイン情報（ログイン時間およびログイン頻度）から構成される心拍および脈拍情報、血圧情報、歩数および活動量並びに姿勢情報から構成される。当該生体情報は、健康管理対象者の生体状況とその変化を記録した情報であり、ユーザ端末２００がウェアラブル機器、または、ウェアラブル機器と連携する端末である場合に、当該ウェアラブル機器が当該生体ログ情報を計測し、記録した情報を含めることができる。例えば、生体ログ情報は、ユーザ端末２００に内蔵されている加速度センサーに基づき健康管理対象者の動きを感知して判定する睡眠（レム睡眠またはノンレム睡眠など）情報が含まれる。
【００２４】
実行タスクＩＤは、タスク（後述する）を特定するためのＩＤであり、実行日時は当該タスクをユーザが実行した日時である。
【００２５】
グループＩＤとは、ユーザが会社や団体等何らかのグループに属している場合に割り当てられるＩＤである。
【００２６】
図５に示されるようにタスク情報は、当該タスク実行時にユーザに付与される標準付与ポイントと、特定の条件のときに当該標準付与ポイントを補正するための条件に関する条件情報と当該条件情報を満たした場合に標準付与ポイントに加えて付与され付加ポイントが関連付けられている。タスク情報には、タスクＩＤと、当該タスクの具体的な内容と、実行強度が含まれる。
【００２７】
＜動作＞
図６及び図７を参照して、実際の動作を説明する。図に示されるように、ユーザ端末の画面には、「こんにちは、××さん  今日のオススメのフィットネスメニューです」というメッセージ１１０とともに、「プランク  ３セット（１２０Ｐ）」、「パームズカール３セット（８０Ｐ）」、「ウィンギング３セット（７０Ｐ）」及び「シュラッグ３セット（４５Ｐ）」の４つのタスク１２０が提案されている。なお、星印は運動強度を示している。当該提案は、付与ポイントが補正された後のものである。
【００２８】
図７及び図８を参照して付与ポイントの補正の処理について説明する。図７に示されるように、標準付与ポイントとしては、プランクには７０Ｐが割り当てられており、パームズカールには９０Ｐが割り当てられており、ウィンギングには７０Ｐが割り当てられており、シュラッグには４５Ｐが割り当てられている。しかしながら、当該ユーザは、運動強度の高いタスクは実行しない傾向にある場合、このままのインセンティブではいつまでたっても強度の高いプランクを実行しない可能性が高い。したがって、例えば、強度の高いタスク（星印３つ以上のもの）を一定期間実行していないことを条件に、運動強度の高いタスクの付与ポイントを増加させる補正を行い、運動強度の高いタスクを実行するインセンティブを高めることによって、バランスよくタスクを実行させる。図７に示されるように、補正後の付与ポイントとしては、強度の高いプランクは７０Ｐから１２０Ｐに増加される一方、強度の低いパームズカールは９０Ｐから８０Ｐに低下される。
【００２９】
図８に示さるように。ユーザ端末２０は、生体情報をサーバ１０に送信する。生体情報の送信は、逐次行われていてもよいし、定期的に行うようなバッチ処理がなされていてもよい。サーバ１０は、生体情報を受信すると（ＳＱ１０１）、データベースを参照して（ＳＱ１０３）現在のユーザの状況に最適なタスクを特定する。この際、サーバ１０は、ユーザの属性や傾向等に基づいてタスクの標準付与ポイントの値を補正する（ＳＱ１０４）。サーバ１０は、補正後のタスク情報をユーザ端末２０に送信する（ＳＱ１０５）。ユーザ端末２０では、図６に示されるようなチャット・インターフェース上でタスクの選択肢が表示され、ユーザに選択を促す。なお、当該タスクが行われたか否かについては、ユーザのウェアラブル端末からの運動情報や、ユーザの自己申告により行われる。ユーザが選択したタスクを実行すると（ＳＱ１０６）、実行通知がサーバ１０に送信され（ＳＱ１０７）、サーバ１０は、当該ユーザのポイント情報を更新する（ＳＱ１０８）。
【００３０】
上述した実施の形態は、ユーザの属性・傾向や実行履歴に基づいて付与ポイントの値を補正することとしていた。しかしながら、本発明の実施の形態は、これに限定されるものではなく、様々な変形が可能である。
同一グループ内の他のユーザの実行履歴に基づいて補正することとしてもよい。これにより、同一生活習慣のユーザ同士をグルーピングした際には、同じようなタスクを選択させることができる。
【００３１】
また、付与ポイントは特定期間の実行履歴に基づいて補正することとしてもよい。例えば、直近１週間において、一定の回数を超えて実行されたタスクについてはインセンティブを下げることによって、実行タスクの偏りを防ぐことができる。
【００３２】
更に、タスクに関連付けられた強度に基づいて付与ポイントを補正することとしてもよい。例えば、強度の高いタスクについては、強度の低いタスクよりもインセンティブを上げることとしてもよい。
【００３３】
更に、当該ユーザの生活習慣と所定の健康生活モデルとを比較して、当該ユーザに最も必要とされるタスクの付与ポイントを上げることとしてもよい。これにより、ゆーづにとって本当に必要な適切なタスクを実行させることができる。
【符号の説明】
【００３４】
１        健康管理システム
１０        サーバ
１１        処理部
１２        メインメモリ
１３        外部メモリ
１４        インターフェース
１５        通信部
１６        ディスクドライブ
２０        ユーザ端末
２１        端末表示部
２２        端末入力部
２３        端末処理部
２４        端末通信部
２５        端末記憶部
３０        ネットワーク
２００        画面
【図１】
2018028737.tif 000003
【図２】
2018028737.tif 000004
【図３】
2018028737.tif 000005
【図４】
2018028737.tif 000006
【図５】
2018028737.tif 000007
【図６】
2018028737.tif 000008
【図７】
2018028737.tif 000009
【図８】
2018028737.tif 000010